【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
コンタクト層（103）を基板（102）の上に堆積させるステップ（701）と、
第一コンタクト（105）および第二コンタクト（106）が、第一ギャップ（104）によって形成されるとともに第一ギャップ（104）によって互いから分離され、対向している側壁を有するように、前記コンタクト層（103）を貫通する第一ギャップ（104）を形成するステップ（702）であって、前記第一コンタクト（105）が第一光起電力セル（107）のためのボトムコンタクトであり、前記第二コンタクト（106）が第二光起電力セル（108）のためのボトムコンタクトである、第一ギャップ（104）を形成するステップ（702）と、
光起電力スタック（109）を前記基板（102）の上に堆積させるステップ（703）と、
前記第一光起電力セル（107）と前記第二光起電力（108）セルとの間にある前記光起電力スタック（109）においてギャップが形成され、前記第二コンタクト（106）の上側のコンタクト領域（112）が、上からアクセス可能になるように、前記第一ギャップ（104）と平行であり且つ重なり、前記光起電力スタック（109）を貫通する第二ギャップ（110）を形成するステップ（704）であって、前記第二コンタクト（106）の側壁の向い側であって前記第二コンタクト（106）の側壁に面する、前記第一コンタクト（105）の側壁の少なくとも一部分が、前記光起電力スタック（109）で覆われるように、第二ギャップ（110）が配置される、第二ギャップ（110）を形成するステップ（704）と、
前記第一光起電力セル（107）の前記光起電力スタック（109）のトップから、上からアクセス可能である前記第二コンタクト（106）の前記コンタクト領域（112）まで延在する接触フィンガー（111）を形成するステップ（705）であって、前記第一光起電力セル（107）および前記第二光起電力セル（108）が、直列で相互接続されるようになる、接触フィンガー（111）を形成するステップ（705）とを備える、光起電力モジュール（101）の製造方法。
【請求項２】
前記光起電力スタック（109）を貫通する前記第二ギャップ（110）を形成するステップは、
第二溝（115）が少なくとも部分的に前記第一ギャップ（104）と重なるように、前記光起電力スタック（109）を貫通する第二溝（115）を形成するステップと、
前記光起電力スタック（109）を貫通して、少なくとも部分的に前記第二溝（115）と重なる第二穴（116）を形成するステップとを備えることを特徴とする、請求項１に記載の製造方法。
【請求項３】
前記コンタクト層（103）を貫通する第一ギャップ（104）を形成するステップは、
前記コンタクト層（103）を貫通する第一溝（113）を形成するステップと、
前記コンタクト層（103）を貫通して、少なくとも部分的に前記第一溝（113）と重なる第一穴（114）を形成するステップとを備える、請求項２に記載の製造方法。
【請求項４】
前記第一穴（114）および前記第二穴（116）が、互いに隣接していることを特徴とする、請求項３に記載の製造方法。
【請求項５】
前記第一穴（114）の第一中心点および前記第二穴（116）の第二中心点が、前記第一溝（113）および前記第二溝（114）に垂直である中心線（117）の上にあることを特徴とする、請求項４に記載の製造方法。
【請求項６】
接触フィンガー（111）を成形するステップ（705）が、前記中心線（117）と平行に前記接触フィンガー（111）を形成するように構成されることを特徴とする、請求項５に記載の製造方法。
【請求項７】
前記第一溝（113）および前記第一穴（114）を成形するステップが、同時に行なわれることを特徴とする、請求項３に記載の製造方法。
【請求項８】
前記第一溝（113）および前記第一穴（114）を成形するステップが、機械的な手段を使用して同時に行なわれることを特徴とする、請求項３に記載の製造方法。
【請求項９】
光起電力スタック（109）を前記基板（102）の上に堆積させるステップ（703）が、トップコンタクトとしてZAOトップ層を備えるCIGSスタックを形成するステップを備えることを特徴とする、請求項１に記載の製造方法。
【請求項１０】
基板（102）上のコンタクト層（103）と、
前記コンタクト層（103）を貫通する第一ギャップ（104）であって、第一コンタクト（105）および第二コンタクト（106）が、第一ギャップ（104）によって画定されるとともに第一ギャップ（104）によって互いから分離され、対向している側壁を有し、第一コンタクト（105）が、第一光起電力セル（107）のためのボトムコンタクトであり、第二コンタクト（106）が、第二光起電力セル（108）のためのボトムコンタクトである第一ギャップ（104）と、
前記基板（102）上の光起電力スタック（109）と、
前記第一光起電力セル（107）と前記第二の光起電力（108）セルとの間にある前記光起電力スタック（109）においてギャップが形成され、前記第二コンタクト（106）の上側のコンタクト領域が、上からアクセス可能になるように、前記第一ギャップ（104）と平行であり且つ重なり、前記光起電力スタック（109）を貫通する第二ギャップ（110）であって、前記第二コンタクト（106）の側壁の向い側であって前記第二コンタクト（106）の側壁に面する、前記第一コンタクト（105）の側壁の少なくとも一部分が、前記光起電力スタック（109）で覆われるように、第二ギャップ（110）が配置される、第二ギャップ（110）と、
前記第一光起電力セル（107）の前記光起電力スタック（109）のトップから、上からアクセス可能である前記第二コンタクト（106）のコンタクト領域まで延在する接触フィンガー（111）であって、前記第一光起電力セル（107）および前記第二光起電力セル（108）が、直列接続されるようになる、接触フィンガー（111）とを備えることを特徴とする、光起電力モジュール（101）。
【請求項１１】
前記光起電力スタック（109）を貫通する前記第二ギャップ（110）が、
第二溝（115）と、
少なくとも部分的に前記第二溝（115）と重なる第二穴（116）とを備えることを特徴とする、請求項１０に記載の光起電力モジュール。
【請求項１２】
前記コンタクト層（103）における前記第一ギャップ（104）が、
前記コンタクト層を貫通する第一溝（113）と、
前記コンタクト層を貫通して、少なくとも部分的に前記第一溝と重なる第一穴（114）とを備えることを特徴とする請求項１１に記載の光起電力モジュール（101）。
【請求項１３】
前記第一穴（114）および前記第二穴（116）が、互いに隣接していることを特徴とする、請求項１２に記載の光起電力モジュール（101）。
【請求項１４】
前記第一穴（114）の第一中心点および前記第二穴（116）の第二中心点が、前記第一溝（113）および前記第二溝（114）に垂直である中心線の上にあることを特徴とする、請求項１３に記載の光起電力モジュール（101）。
【請求項１５】
前記接触フィンガー（111）が、前記中心線（117）と平行に配置される金属フィンガーであることを特徴とする、請求項１４に記載の光起電力モジュール（101）。
【請求項１６】
前記光起電力スタックが、ZAOのトップコンタクトを持ったCIGS構造を備えることを特徴とする、請求項１０から請求項１５のいずれか一項に記載の光起電力モジュール（101）。